(57)【要約】【課題】棚板の前縁部に設ける落下防止バーの撓みの問題を解決するとともに、棚板及びブラケットから簡単に外れることがなく、しかも装着が簡単であるにも係らず、支持強度が高い棚装置における落下防止装置を提供する。【解決手段】両側に立設した支持杆３５又は支柱にブラケット３６を介して棚板４を取付けてなる棚装置において、落下防止バー１０の両端部を両ブラケットに保持するとともに、落下防止バーの中間部に垂下した複数の支持バー４５Ａを棚板の載置板４６の前縁部に形成した係合孔４７に下方への移動を規制した状態で係入してなる。【選択図】　　　　図６
2004016408.tif 000002
【特許請求の範囲】
【請求項１】
両側に立設した支持杆又は支柱にブラケットを介して棚板を取付けてなる棚装置において、落下防止バーの両端部を両ブラケットに保持するとともに、該落下防止バーの中間部に垂下した複数の支持バーを前記棚板の載置板の前縁部に形成した係合孔に下方への移動を規制した状態で係入してなることを特徴とする棚装置における落下防止装置。
【請求項２】
前記棚板の係合孔の下方に前記支持バーの下端を受ける下板を有してなる請求項１記載の棚装置における落下防止装置。
【請求項３】
前記落下防止バーに倒半環状の支持金具を固着し、該支持金具の一方を下方に延びた前記支持バーとし、該支持金具の他方を前記棚板の載置板の上面に当止する当止バーとしてなる請求項１又は２記載の棚装置における落下防止装置。
【請求項４】
前記ブラケットの前縁部に略倒Ｌ字状のスリットを形成するとともに、前記落下防止バーの両端部に装着した端部キャップを前記スリットに落し込み係合してなる請求項１〜３何れかに記載の棚装置における落下防止装置。
【請求項５】
前記支持バーを前記棚板の係合孔に係入して下板に当止した状態で、該支持バーの下端部の前後移動を規制する移動規制手段を棚板に設けてなる請求項１〜４何れかに記載の棚装置における落下防止装置。
【発明の詳細な説明】
【０００１】
【発明の属する技術分野】
本発明は、棚装置における落下防止装置に係わり、更に詳しくは棚板に載置した物品の前方への落下を防止する棚装置における落下防止に関するものである。
【０００２】
【従来の技術】
従来、棚装置において、両側に立設した支柱にブラケットを介して多段に棚板を設け、該棚板に載置した物品が地震等の振動によって前方へ落下するのを防止するために、前記棚板の前縁部に落下防止手段を設けた構造のものは各種提供されている。
【０００３】
例えば、実公昭５４−２８９５３号公報には、棚板の前縁に沿って係止孔を列設し、該係止孔に係脱する左右一対の脚杆を有し、両脚杆の上端部間に水平杆を連設するとともに、両脚杆の下部間に棚板の載置板に当接する下部水平杆を連結し、上下水平杆に亘って倒Ｕ字状杆を固着してなる物品陳列棚における物品滑止め具が開示されている。また、特許第２８９７１５８号公報には、書架等の棚板上に立設した左右一対の仕切板のそれぞれにスリットを設け、このスリットにブックストップ棒の各端部を落とし込んで架設した構造のものが開示されている。
【０００４】
しかし、前者の公報記載のものは、脚杆が棚板を貫通して、棚板下面から脚杆の先端が突出するので外観性が悪いばかりでなく、その突出長さを抑制すると不意に脚杆が下方の係止孔から抜けて物品滑止め具が前後に傾いてしまって用をなさないことも想定できる。また、後者の公報記載のものは、ブックストップ棒が撓み易く、耐久性に問題があるとともに、あくまでも書籍の背当り用としてのブックストップ棒の支持構造であり、物品の前方落下を防止するものではない。
【０００５】
【発明が解決しようとする課題】
本発明が前述の状況に鑑み、解決しようとするところは、棚板の前縁部に設ける落下防止バーの撓みの問題を解決するとともに、棚板及びブラケットから簡単に外れることがなく、しかも装着が簡単であるにも係らず、支持強度が高い棚装置における落下防止装置を提供する点にある。
【０００６】
【課題を解決するための手段】
本発明は、前述の課題解決のために、両側に立設した支持杆又は支柱にブラケットを介して棚板を取付けてなる棚装置において、落下防止バーの両端部を両ブラケットに保持するとともに、該落下防止バーの中間部に垂下した複数の支持バーを前記棚板の載置板の前縁部に形成した係合孔に下方への移動を規制した状態で係入してなる棚装置における落下防止装置を構成した。
【０００７】
ここで、前記棚板の係合孔の下方に前記支持バーの下端を受ける下板を有してなることが好ましい。
【０００８】
また、前記落下防止バーに倒半環状の支持金具を固着し、該支持金具の一方を下方に延びた前記支持バーとし、該支持金具の他方を前記棚板の載置板の上面に当止する当止バーとしてなることがより好ましい。
【０００９】
そして、前記ブラケットの前縁部に略倒Ｌ字状のスリットを形成するとともに、前記落下防止バーの両端部に装着した端部キャップを前記スリットに落し込み係合してなることも好ましい。
【００１０】
更に、前記支持バーを前記棚板の係合孔に係入して下板に当止した状態で、該支持バーの下端部の前後移動を規制する移動規制手段を棚板に設けてなるとより好ましい。
【００１１】
【発明の実施の形態】
次に本発明の実施の形態を添付図面に基づき更に詳細に説明する。図１は本発明に係る棚装置における落下防止装置を適用した棚付き机の全体斜視図、図２〜図４は各部材の組立構造を示し、図中符号Ａは机、Ｂは棚、１は天板、２は脚部、３は幕板、４は下部棚板、５は連結部材、６は支柱、７は棚板、８は前面パネル、９は照明具、１０は落下防止バーをそれぞれ示している。
【００１２】
本実施形態の棚付き机は、図１に示すように、机Ａの背後に棚Ｂを連結して構成したものである。前記机Ａは、天板１の両側部に脚部２，２を固定するとともに、両脚部２，２の後端部間に幕板３を渡設して剛性を持たせ、天板１下の足入れ空間内であって、前記幕板３の前面側に下部棚板４を着脱可能に取付けたものである。ここで、本実施形態において、前記机Ａは、通常の構造のスチール製机であり、既製のものを使用できる。また、前記棚Ｂは、前記机Ａの両脚部２，２の後端にそれぞれ連結部材５，５を介して支柱６，６を立設し、該両支柱６，６に多段に棚板７，…を取付けるとともに、最下段の棚板７の下方であって両支柱６，６間に前面パネル８を着脱可能に取付け、更に所定高さの棚板７の下面に照明具９を着脱可能に取付けた構造のものである。そして、前記下部棚板４の前縁部に落下防止バー１０を装着している。
【００１３】
更に詳しくは、図２〜図４に示すように、前記机Ａの両脚部２，２の後端部に連結部材５，５を介してそれぞれ支柱６，６を立設するとともに、両支柱６，６の上端間を横杆１１で連結してフレーム構成し、前記支柱６の前面側に形成した係止孔１２，…を利用してブラケット１３を嵌合係止し、両ブラケット１３，１３で前記棚板７の両側端部を支持した構造となっている。
【００１４】
ここで、前記脚部２の後端は、前記天板１の後端よりも前方位置に設定されたタイプの机Ａを用いたため、前記連結部材５を介して支柱６を立設するようにしているが、脚部２の後端と天板１の後端が一致するタイプの机であれば、前記支柱６を直接脚部２の後端に取付けても良い。
【００１５】
前記連結部材５は、図２〜図４に示すように、前記脚部２の後端と天板１の後端の間の隙間を埋める化粧板１４の前縁に、脚部２の後端面に接合し且つ脚部２の後端部内面に連結するための平面視Ｌ字形の固定板１５を直角に形成するとともに、化粧板１４の後縁に前記支柱６の前面と内側面とに接合してネジ止めするための断面略Ｌ字形の取付板１６を折曲形成したものである。尚、前記連結部材５の固定板１５を前記脚部２の後端部内面に連結する構造は、本来、机Ａの幕板３を連結するために用いていた構造をそのまま利用する。つまり、前記連結部材５の固定板１５は、幕板３の端面を連結するためのネジを用いて取付けることができるようにし、その代わりに該連結部材５の固定板１５より後方側に沿って幕板取付部１７を固定している。この幕板取付部１７は、本来、前記脚部２の幕板３を連結するために後端部内面に設けていた構造と同じ構造にしている。例えば、前記脚部２の後端部内面と幕板取付部１７には螺孔１８，…を形成してネジ１９とネジピン２０を螺合可能とし、前記固定板１５にはネジ１９にて締着するための通孔２１，…を形成し、幕板取付部１７の螺孔１８に螺合したネジピン２０に前記幕板３の端面に形成したダルマ孔２２，…を嵌合係止するようにしている。ここで、前記連結部材５を介して脚部２に支柱６を連結した状態では、脚部２の外面、化粧板１４及び支柱６の外側面とが面一になるように設定し、また外部からは前記固定板１５及び取付板１６は見えないようになっている。
【００１６】
前記前面パネル８は、スチール製の表面板２３の両側端に前記支柱６の内面へ取付ける端板２４，２４を形成するとともに、表面板２３の下縁に前方へ直角に突出した閉塞板２５を一体形成し、更に該閉塞板２５の前端に下方へ直角に補強部２６を一体形成し、前記閉塞板２５を前記机Ａの天板１の上面と面一に設定するとともに、前記補強部２６を天板１の後端面に接合した状態で前記端板２４，２４を両支柱６，６の内側面に着脱可能に取付けている。つまり、前記前面パネル８は、両支柱６，６間の間隔に一致した横幅の表面板２３と、その下端の閉塞板２５とで側面視略Ｌ字形となっている。ここで、両支柱６，６間に前面パネル８を取付けることにより、棚Ｂの剛性が高くなり、強度が増すとともに、天板１と閉塞板２５が面一になるので、天板面が拡張するばかりでなく、天板１の後方に筆記具や書類等の物品の落下を防止できる。また、前面パネル８は、背後を隠すので目隠しの働きをなし、更にその前面に書類をマグネットで吸着して保持することができ、掲示ボードとしても利用できる。
【００１７】
更に詳しくは、前記前面パネル８は、図３及び図４に示すように、表面板２３の両側縁を後方へ折曲して前記端板２４，２４を形成するとともに、表面板２３の上縁を後方へ折曲して上板２７を形成し、前記端板２４，２４に形成した通孔２８，２８を利用してネジ２９で前記支柱６の内側面の後端寄りに螺合して取付ける。しかし、前記前面パネル８を支柱６へ取付ける構造は、特に限定されるものではない。また、前記前面パネル８の表面板２３の下縁に形成した閉塞板２５の前端には、補強部２６を一体形成しているが、該補強部２６は垂直な当接板３０とその下縁に後方へ向け、更にその後端を立ち上げて形成したＬ字形補強板３１からなっている。従って、前記前面パネル８は、閉塞板２５と補強部２６とで曲げ剛性が高くなっているが、強度が不足する場合には、表面板２３の背面に横方向に補強部材を固定しても何ら差し支えない。
【００１８】
前記幕板３は、図５及び図６に示すように、上縁に断面略Ｌ字形の上係止縁３２を形成するとともに、下縁に断面略Ｌ字形の下係止縁３３を形成し、更に両側端に前側へ側縁補強部３４，３４を折曲形成したものである。そして、前記幕板３の前面側の両側に、それぞれ支持杆３５の上下端部を上係止縁３２と下係止縁３３とに係止して立設し、両支持杆３５，３５にブラケット３６，３６を嵌合係止し、両ブラケット３６，３６で前記下部棚板４の両側端部を載支するのである。
【００１９】
前記支持杆３５は、図５及び図６に示すように、上下方向に長尺の杆体でその前面に上下方向へ一定間隔毎に複数の係止孔３７，…を形成したものである。前記支持杆３５は左右一対用いるが、該支持杆３５の形状を上下対称形にすることによって、同一形状の支持杆３５，３５を左右両側において上下反転させて用いることも好ましい。
【００２０】
前記ブラケット３６は、図５及び図６に示すように、垂直な基板３８の後端に前記係止孔３７に嵌合係止するフック３９，…を上下に複数突設するとともに、基板３８の下縁に内向きに受板４０を折曲形成し、更に該受板４０の先端縁の前寄り中間部に突片４１を立ち上げ形成したものである。前記ブラケット３６のフック３９，…は、前記基板３８の後端縁に該基板３８と同一平面となして延設しても良いが、本実施形態では基板３８の後端縁に内向きに折曲片４２を形成し、該折曲片１８の内縁から後方へ向けて前記フック３９，…を形成している。尚、本実施形態で使用したブラケット３６は、特別な構造ではなく、他の棚装置で使用する既製のブラケットをそのまま転用したものである。
【００２１】
そして、前記幕板３の前側に前記下部棚板４を装着するには、先ず前記支持杆３５，３５を若干左右に倒し、前記幕板３の表面板に当てた状態で、垂直姿勢に戻すことで、その上下端部をそれぞれ上係止縁３２と下係止縁３３の両側端部に係止する。次に、両支持杆３５，３５のそれぞれの所定高さの係止孔３７，…に、前記ブラケット３６，３６のフック３９，…を嵌合係止する。それから、両ブラケット３６，３６の受板４０，４０に前記下部棚板４の両側端部を載置しながら、前記ブラケット３６の基板３８を対応する側の前記側縁補強部３４に当接させる。こうすることによって、前記支持杆３５を幕板３に固定しなくても、前記下部棚板４の横方向の移動やガタツキを完全に規制することができる。
【００２２】
また、前記下部棚板４を両ブラケット３６，３６の受板４０，４０に載置した状態で、該下部棚板４の前後方向の移動を規制するための構造を簡単に説明する。本実施形態で使用した前記下部棚板４は、他の棚装置で使用する既製の棚板をそのまま転用したものであるが、下部棚板４の両側縁には下方へ断面略コ字形に折曲した側縁部４３を有しており、該側縁部４３をブラケット３６の受板４０に載置し且つ基板３８と突片４１の間に保持するとともに、下部棚板４の前縁に下方へ折曲形成した前縁部４４と下部棚板４の前後中間部下面に横方向に固定した補強部材との間に前記突片４１を嵌合して前後方向の移動を規制している。
【００２３】
そして、本発明は、落下防止バー１０の両端部を両ブラケット３６，３６に保持するとともに、該落下防止バー１０の中間部に垂下した複数の支持バー４５Ａを前記下部棚板４の載置板４６の前縁部に形成した係合孔４７，４７に下方への移動を規制した状態で係入したものである。
【００２４】
更に詳しくは、前記下部棚板４の前縁部４４は、前記載置板４６から垂下した前面板４４Ａと、該前面板４４Ａから後方に延びた下板４４Ｂと、該下板４４Ｂの端部から立ち上げた立片４４Ｃとから構成されている。そして、前記下部棚板４の係合孔４７の下方に前記支持バー４５Ａの下端を受ける下板４４Ｂを有し、該支持バー４５Ａの下端を下板４４Ｂで当止している。更に、前記落下防止バー１０に倒Ｕ字状又はＭ字状等の倒半環状の支持金具４５を固着し、該支持金具４５の一方を下方に延びた前記支持バー４５Ａとし、該支持金具４５の他方を前記下部棚板４の載置板４６の上面に当止する当止バー４５Ｂとしている。
【００２５】
また、図５及び図６に示すように、前記ブラケット３６の前縁部に略倒Ｌ字状のスリット４８を形成するとともに、前記落下防止バー１０の両端部に装着した端部キャップ４９を前記スリット４８に落し込み係合する。このとき、同時に前記支持バー４５Ａを前記下部棚板４の係合孔４７に挿入するのである。
【００２６】
また、前記落下防止バー１０を前述のように装着しても、中央部を前後方向へ押せば該落下防止バー１０が撓みながら前記支持バー４５Ａが係合孔４７を支点として前後へ傾動する。これを抑制するために、前記支持バー４５Ａを前記下部棚板４の係合孔４７に係入して下板４４Ｂに当止した状態で、該支持バー４５Ａの下端部の前後移動を規制する移動規制手段を下部棚板４に設ける。この移動規制手段の具体例は、図８に示している。図８（ａ）に示したものは、前記支持バー４５Ａの下端を前方へ直角に折曲して当止杆４５Ｃを形成し、前記支持バー４５Ａの下端が前記立片４４Ｃに当接するとともに、当止杆４５Ｃの前端を前記前面板４４Ａに当接するように寸法設定したものである。また、図８（ｂ）に示したものは、前記下板４４Ｂの前後幅を前記支持バー４５Ａの外径に略一致させ、該支持バー４５Ａの下端を前面板４４Ａと立片４４Ｃ間に嵌合させたものである。そして、図８（ｃ）に示したものは、前記立片４４Ｃの上端に前方へ上板４４Ｄを折曲形成し、該上板４４Ｄに支持バー４５Ａの下端を係合する支持孔４４Ｅを形成し、前記係合孔４７と支持孔４４Ｅとで支持バー４５Ａを上下で支持するものである。
【００２７】
また、図９は、前記落下防止バー１０の端部を前記ブラケット３６に支持する他の構造を示し、前記ブラケット３６の基板３８に前記端部キャップ４９を嵌入する通孔５０を形成し、前記端部キャップ４９を基板３８の外側から通孔５０に嵌入すると同時に落下防止バー１０の端部を端部キャップ４９の軸孔４９Ａに嵌入するのである。この場合、前記落下防止バー１０の長さは、両ブラケット３６，３６の間隔と一致させるか、若干短く設定することで、先ず前記支持バー４５Ａを係合孔４７に係入させることができる。また、図１０は、前記同様に前記ブラケット３６の基板３８に通孔５０を形成し、前記落下防止バー１０の端部に軸方向に雌ネジ１０Ａを形成し、そして、つまみ付きの固定ネジ５１の中間部５１Ａを前記通孔５０に外側から嵌入すると同時に、先端の雄ネジ５１Ｂを落下防止バー１０の雌ネジ１０Ａに螺合するものである。
【００２８】
次に、図１１及び図１２に基づいて、前記棚板７をブラケット１３，１３にて前記支柱６，６に取付ける構造を説明する。前記棚板７は、載置板５２の前縁に下方へ前面板５３を形成するとともに、該前面板５３の下端から後方へ下板５４を形成し、更に該下板５４の後端から立起片５５を立ち上げ形成し、また前記載置板５２の両側縁から下方へ側面板５６を形成するとともに、該側面板５６の下端から内方へ載支片５７を形成して断面略Ｌ字形となしたものである。更に、前記棚板７は、載置板５２の後端に上方へ立ち上げた突出部５８を形成している。また、前記棚板７は、載置板５２の下面で前後中間部に断面略コ字形の補強部材５９を横設している。この補強部材５９の前面側の垂直面６０は、前記立起片５５と平行となっており、該垂直面６０の両端部で、前記載支片５７の端縁の直上内側に縦長のスリット孔６１を形成している。
【００２９】
前記ブラケット１３は、側面視略四角形の基板６２の後端縁に、前記支柱６の係止孔１２，…に嵌合係止する複数の下向きフック６３，…を突設するとともに、前記基板６２の下端に、前記棚板７の載支片５７を載置する受板６４を内向きに形成するとともに、該受板６４の前部内側端に前記立起片５５と垂直面６０の間隔に略等しい長さの規制板６５を立ち上げ形成している。更に、前記規制板６５の後端には、前記補強部材５９の垂直面６０のスリット孔６１に嵌入する爪片６６を後向きに突設するとともに、前記規制板６５の前端には下部に前記立起片５５に当接する当接部６７を形成し且つ上部に該当接部６７よりも前方へ突出した規制部６８を形成し、前記当接部６７と規制部６８の間は凹陥部６９となっている。この凹陥部６９の上下寸法は前記立起片５５の上下寸法より大きく設定している。
【００３０】
そして、前記ブラケット１３を対応する支柱６の係止孔１２，…に下向きフック６３，…を嵌合係止して取付けた後、前記棚板７を前傾させた状態で前記凹陥部６９に前記立起片５５を受入れ、それから棚板７の後部を押し下げて前記規制板６５を前記立起片５５と補強部材５９の垂直面６０との間に進入させ、最後に棚板７を後退させて前記爪片６６を垂直面６０のスリット孔６１に嵌入するとともに、前記当接部６７を立起片５５の後面に当止すると、前記棚板７の載支片５７が前記ブラケット１３の受板６４に載置するとともに、該載支片５７をブラケット１３の基板６２と規制板６５とで内外から挟持するのである。この状態で、前記棚板７は前後左右の移動が完全に規制される。尚、前記棚板７を外す場合には、前述の手順を逆にすれば良いのである。ここで、前記棚板７の前部を単純に持ち上げても、前記立起片５５の上端が規制部６８の下縁に当止するので、不意に脱落することはないのである。
【００３１】
また、前記棚板７を支持する両ブラケット１３，１３の前端部間に、落下防止バー７０を渡設することも好ましい。それには、前記ブラケット１３の基板６２の前端部でやや上方に孔７１を形成し、該孔７１に外側から鍔付きキャップ７２を嵌入すると同時に、両ブラケット１３，１３間に配した落下防止バー７０の端部を鍔付きキャップ７２の軸孔７３に嵌入して保持する。
【００３２】
【発明の効果】
以上にしてなる請求項１に係る発明の棚装置における落下防止装置によれば、落下防止バーの両端部を両ブラケットに保持するとともに、該落下防止バーの中間部に垂下した複数の支持バーを前記棚板の載置板の前縁部に形成した係合孔に下方への移動を規制した状態で係入してなるので、落下防止バーが撓むことがなく、また棚板及びブラケットから簡単に外れることがなく、しかも装着が簡単であるにも係らず、支持強度が高いものとなる。
【００３３】
請求項２によれば、落下防止バーの撓みを規制することができ、また支持バーの下端が棚板の下面から突出しないので外観性にも優れている。
【００３４】
請求項３によれば、落下防止バーの撓みを確実に規制することができる。
【００３５】
請求項４によれば、落下防止バーの両端部をブラケットに簡単に装着できる。
【００３６】
請求項５によれば、落下防止バーの前後方向の撓みを規制することができ、支持強度が格段に高くなる。
【図面の簡単な説明】
【図１】本発明に係る棚装置における落下防止装置を適用した棚付き机の全体斜視図である。
【図２】棚付き机の基本構造の分解斜視図である。
【図３】同じく組立てた状態の部分横断面図である。
【図４】同じく組立てた状態の部分縦断面図である。
【図５】机の天板下方に設ける棚板と落下防止バーを示す分解斜視図である。
【図６】同じく組立てた状態を一部破断して示す部分斜視図である。
【図７】同じく部分正面図である。
【図８】支持バーの前後移動を規制する移動規制手段の例を示す部分断面図である。
【図９】落下防止バーの端部をブラケットに装着する他の構造を示す部分分解斜視図である。
【図１０】同じく落下防止バーの端部をブラケットに装着する更に他の構造を示す部分分解斜視図である。
【図１１】ブラケットにて棚板を支柱に取付ける構造を示す部分縦断面図である。
【図１２】同じく分解斜視図である。
【符号の説明】
Ａ　机　　　　　　　　Ｂ　棚
１　天板　　　　　　　２　脚部
３　幕板　　　　　　　４　下部棚板
５　連結部材　　　　　６　支柱
７　棚板　　　　　　　８　前面パネル
８Ａ　上部パネル　　　８Ｂ　下部パネル
９　照明具　　　　　　１０　落下防止バー
１１　横杆　　　　　　１２　係止孔
１３　ブラケット　　　１４　化粧板
１５　固定板　　　　　１６　取付板
１７　幕板取付部　　　１８　螺孔
１９　ネジ　　　　　　２０　ネジピン
２１　通孔　　　　　　２２　ダルマ孔
２３　表面板　　　　　２４　端板
２５　閉塞板　　　　　２６　補強部
２７　上板　　　　　　２８　通孔
２９　ネジ　　　　　　３０　当接板
３１　補強板　　　　　３２　上係止縁
３３　下係止縁　　　　３４　側縁補強部
３５　支持杆　　　　　３６　ブラケット
３７　係止孔　　　　　３８　基板
３９　フック　　　　　４０　受板
４１　突片　　　　　　４２　折曲片
４３　側縁部　　　　　４４　前縁部
４４Ａ　前面板　　　　４４Ｂ　下板
４４Ｃ　立片　　　　　４４Ｄ　上板
４４Ｅ　支持孔　　　　４５　支持金具
４５Ａ　支持バー　　　４５Ｂ　当止バー
４５Ｃ　当止杆　　　　４６　載置板
４７　係合孔　　　　　４８　スリット
４９　端部キャップ　　４９Ａ　軸孔
５０　通孔　　　　　　５１　固定ネジ
５１Ａ　中間部　　　　５１Ｂ　雄ネジ
５２　載置板　　　　　５３　前面板
５４　下板　　　　　　５５　立起片
５６　側面板　　　　　５７　載支片
５８　突出部　　　　　５９　補強部材
６０　垂直面　　　　　６１　スリット孔
６２　基板　　　　　　６３　下向きフック
６４　受板　　　　　　６５　規制板
６６　爪片　　　　　　６７　当接部
６８　規制部　　　　　６９　凹陥部
７０　落下防止バー　　７１　孔
７２　鍔付きキャップ　７３　軸孔
【図１】
2004016408.tif 000003
【図２】
2004016408.tif 000004
【図３】
2004016408.tif 000005
【図４】
2004016408.tif 000006
【図５】
2004016408.tif 000007
【図６】
2004016408.tif 000008
【図７】
2004016408.tif 000009
【図８】
2004016408.tif 000010
【図９】
2004016408.tif 000011
【図１０】
2004016408.tif 000012
【図１１】
2004016408.tif 000013
【図１２】
2004016408.tif 000014